(57)【要約】      （修正有）【課題】  天板とその下方に配置する単又は複数の載置板を同時に高さ調節できるブラケットによる天板等の支持構造を提供し、併せて図書館等で書籍情報等を電子情報機器端末で検索するために、座り姿勢や立ち姿勢で使用できる態様に変更するために、天板と載置板を同時に高さ調節でき、また部品点数が少なく安価である高さ変更可能な情報検索台を提供する。【解決手段】  天板３とその下方に配置する単又は複数の載置板４を同時に高さ変更可能な情報検索台であって、床面に立設した支持体（支柱１）に、上下方向へ所定間隔毎に係止孔７を形成し、係止孔に嵌合係止するフック１１を背面側に備えたブラケット構造体２に、複数の支持アーム１２を上下に所定間隔を置いて突設し、各支持アームで天板及び載置板の一端部を支持するとともに、他端部を天板下面に下設した脚柱５で支持してなる。【選択図】        図２
2006122403.tif 000002
【特許請求の範囲】
【請求項１】
床面に立設した支持体に、上下方向へ所定間隔毎に係止孔を形成し、該係止孔に嵌合係止するフックを背面側に備えたブラケット構造体に、複数の支持アームを上下に所定間隔を置いて突設し、前記支持アームで天板とその下方に配置する単又は複数の載置板を支持することを特徴とするブラケットによる天板等の支持構造。
【請求項２】
前記支持体が、床面に立設した支柱又はパネル体である請求項１記載のブラケットによる天板等の支持構造。
【請求項３】
天板とその下方に配置する単又は複数の載置板を備えるとともに、該天板及び載置板を同時に高さ変更可能な情報検索台であって、床面に立設した支持体に、上下方向へ所定間隔毎に係止孔を形成し、該係止孔に嵌合係止するフックを背面側に備えたブラケット構造体に、複数の支持アームを上下に所定間隔を置いて突設し、前記各支持アームで前記天板及び載置板の一端部を支持するとともに、他端部を前記天板下面に下設した脚柱で支持することを特徴とする高さ変更可能な情報検索台。
【請求項４】
前記支持体が、床面に立設した支柱又はパネル体である請求項３記載の高さ変更可能な情報検索台。
【請求項５】
前記天板及び載置板の高さに応じて、前記脚柱を変更若しくは伸縮してなる請求項３又は４記載の高さ変更可能な情報検索台。
【発明の詳細な説明】
【技術分野】
【０００１】
本発明は、ブラケットによる天板等の支持構造及びそれを用いた高さ変更可能な情報検索台に係わり、更に詳しくは図書館等で書籍情報等を電子情報機器端末で検索するために使用する高さ変更可能な情報検索台に関するものである。
【背景技術】
【０００２】
従来から、電子情報機器端末を置いて使用するためのＯＡ用机又はテーブルは各種提供されている。例えば、本出願人の先願に係る特許文献１には、テーブルの背面側に、床面に当接する水平足体に支柱を立設し、支柱の長手方向に沿って開口する開口溝にアームの基端部を着脱可能に連結し、載置台を前記アームで支持するとともに、載置台の下面に下設した脚部で床面に支持する構造のＯＡ機器本体の格納装置が開示されている。
【０００３】
また、同じく本出願人の先願に係る特許文献２には、少なくともモニター天板とキーボード天板とを備えた電子情報機器を載置するためのＯＡ用机であって、前記キーボード天板は上方後部と下方前部との間の傾斜軌跡に沿って移動可能であるとともに、前記モニター天板は前後移動可能であり、前記キーボード天板の下動且つ前方移動に伴って前記モニター天板が前方移動するように連動してなるＯＡ用机が開示されている。
【０００４】
一方、同じく本出願人の先願に係る特許文献３には、左右両側に立設した支柱間に、複数のブロックパネルを上下に配線用空間を設けて着脱可能に取付けるとともに、前記支柱の前面側には左右両側をブラケットで支持した単又は複数の載置板を、着脱可能且つ高さ調節可能に取付けたパネル付きパソコンデスクが開示されている。
【０００５】
前述の特許文献１、２に記載のＯＡ用机又はテーブルは、載置台あるいは天板の高さを調節することができるが、複数の載置台あるいは天板を設けた場合にはそれぞれ単独で調節しなければならず、手間がかかる。また、特許文献３に記載のパネル付きパソコンデスクは、各載置板をそれぞれブラケットで支柱に支持しているので、該載置板の高さを変更する場合には、全てのブラケットの位置を付け替えなければならず、やはり手間がかかるものである。尚、載置板に収納する電子情報機器等の収容物が同じである場合には、各載置板の間隔を同じに維持したまま高さを変更する作業も容易ではないのである。
【特許文献１】特開２００３−６７０８６号公報
【特許文献２】特開２００２−４５２４１号公報
【特許文献３】特開２００１−２４５７３１号公報
【発明の開示】
【発明が解決しようとする課題】
【０００６】
そこで、本発明が前述の状況に鑑み、解決しようとするところは、天板とその下方に配置する単又は複数の載置板を同時に高さ調節することができるブラケットによる天板等の支持構造を提供し、併せて図書館等で書籍情報等を電子情報機器端末で検索するために使用する高さ変更可能な情報検索台であって、座り姿勢や立ち姿勢で使用できる態様に変更するために、天板とその下方に配置する単又は複数の載置板を同時に高さ調節することができ、また部品点数が少なく安価である高さ変更可能な情報検索台を提供する点にある。
【課題を解決するための手段】
【０００７】
本発明は、前述の課題解決のために、床面に立設した支持体に、上下方向へ所定間隔毎に係止孔を形成し、該係止孔に嵌合係止するフックを背面側に備えたブラケット構造体に、複数の支持アームを上下に所定間隔を置いて突設し、前記支持アームで天板とその下方に配置する単又は複数の載置板を支持してなるブラケットによる天板等の支持構造を構成した（請求項１）。ここで、前記支持体が、床面に立設した支柱又はパネル体である（請求項２）。
【０００８】
また、本発明は、前述の課題解決のために、天板とその下方に配置する単又は複数の載置板を備えるとともに、該天板及び載置板を同時に高さ変更可能な情報検索台であって、床面に立設した支持体に、上下方向へ所定間隔毎に係止孔を形成し、該係止孔に嵌合係止するフックを背面側に備えたブラケット構造体に、複数の支持アームを上下に所定間隔を置いて突設し、前記各支持アームで前記天板及び載置板の一端部を支持するとともに、他端部を前記天板下面に下設した脚柱で支持してなる高さ変更可能な情報検索台を構成した（請求項３）。ここで、前記支持体が、床面に立設した支柱又はパネル体であること（請求項４）、前記天板及び載置板の高さに応じて、前記脚柱を変更若しくは伸縮してなること（請求項５）が好ましい。
【発明の効果】
【０００９】
以上にしてなる請求項１、３に係る発明は、一つのブラケット構造体に突設した複数の支持アームで、天板とその下方に配置する単又は複数の載置板を支持するので、天板及び載置板の各板間の間隔を維持したまま同時に高さ調節することができ、また部品点数が少なく安価である。また、高さ変更可能な情報検索台では、天板上にパソコンやＤＶＤプレーヤー、ＶＴＲ等の電子情報機器端末のモニター用ディスプレイ及びキーボード、マウス等の入出力装置を載置するとともに、下方の載置板には電子情報機器端末の本体部や検索マニュアル等を載置することができ、天板及び載置板を間隔を維持したまま高さを変えることで、簡単に座り姿勢や立ち姿勢で使用できる態様に変更することができるのである。
【００１０】
請求項２、４によれば、既存の支柱やパネル体を転用できるので、安価に提供することができるのである。
【００１１】
請求項５によれば、天板及び載置板の支持強度が高くなり、電子情報機器端末を載置しても安定である。
【発明を実施するための最良の形態】
【００１２】
次に、添付図面に示した実施形態に基づき、本発明を更に詳細に説明する。図１〜図５は本発明に係る高さ変更可能な情報検索台の第１実施形態を示し、図中符号１は支柱、２はブラケット構造体、３は天板、４は載置板、５は脚柱をそれぞれ示している。
【００１３】
先ず、前記支柱１は、図１〜図５に示すように、接地台６の中央に立設し、床面に自立可能なものである。そして、前記支柱１の前面側には上下方向へ所定間隔毎に二列に係止孔７，…を形成するとともに、両側縁に沿って係合溝８，８を形成している。
【００１４】
そして、前記ブラケット構造体２は、図２〜図４に示すように、断面略コ字形の上下方向に延びた基体９の背面側に有する両脚片１０，１０に、前記支柱１の係止孔７，…に嵌合係止するフック１１，…を形成するとともに、前記基体９の前面側に複数の支持アーム１２，…を上下に所定間隔を置いて突設したものである。ここで、上下端の前記支持アーム１２，１２は、前記基体９に溶接等で固定するが、中間の支持アーム１２は、前記基体９に溶接等で固定し若しくは上下に取付位置を変更可能にネジ止めする。
【００１５】
また、前記天板３は、図１、図２及び図５に示すように、後縁の曲率半径が小さく、前縁の曲率半径が後縁よりも十分に大きく設定し、後部よりも前部にかけて横幅が広がった異形天板であり、前縁１３に沿って親子や友人等二人が並んで使用できるようにしている。また、前記載置板４は、前記天板３の相似形で若干小さいものである。本実施形態では、前記載置板４を２枚用いて構成している。
【００１６】
また、前記脚柱５は、図２に示すように、上端に前記天板３の下面にネジ止めする固定板１４を固着するとともに、下端にアジャスター１５を設け、そして側面に前記載置板４，４の下面を載支する支持片１６，１６を突設している。つまり、前記ブラケット構造体２の支持アーム１２，…の間隔と同じ間隔で前記固定板１４及び前記載置板４，４を設けている。
【００１７】
そして、本発明の高さ変更可能な情報検索台は、天板３とその下方に配置する単又は複数の載置板４，４を備えるとともに、該天板３及び載置板４，４を同時に高さ変更可能な情報検索台であって、床面に立設した支持体（支柱１）に、上下方向へ所定間隔毎に係止孔７，…を形成し、該係止孔７，…に嵌合係止するフック１１，…を背面側に備えたブラケット構造体２に、複数の支持アーム１２，…を上下に所定間隔を置いて突設し、前記各支持アーム１２，…で前記天板３及び載置板４，４の一端部を支持するとともに、他端部を前記天板３下面に下設した脚柱５，５で支持している。
【００１８】
更に詳しくは、前記ブラケット構造体２の各支持アーム１２を、前記天板３又は載置板４の後部下面に複数箇所でネジ１７，１７にて取付け、前記脚柱５の固定板１４をそれぞれ前記天板３の側方前部下面に複数のネジ１８，…にて取付けるとともに、各支持片１６，１６をそれぞれ前記載置板４の側方前部下面にネジ１９にて取付ける。
【００１９】
前記天板３及び載置板４，４の高さを変更するには、前記ブラケット構造体２のフック１１，…を、前記支柱１の所定高さ位置の係止孔７，…に嵌合係止するとともに、前記脚柱５，５の高さをそれに応じて取り替えるのである。尚、前記脚柱５を下部脚と上部脚とで構成し、互いに伸縮可能に連結し、前記上部脚に前記固定板１４及び支持片１６，１６を設け、前記下部脚の下端に適宜アジャスター１５を設ければ、前記天板３及び載置板４，４の高さを変更する際にも、当該脚柱５を取り替えなくてもよいのである。
【００２０】
図１は本発明の使用形態を示し、前記天板３に電子情報機器端末のモニター用ディスプレイ２０及びキーボード２１、マウス２２等の入出力装置を載置するとともに、下方の載置板４には電子情報機器端末の本体部２３や図示しない検索マニュアル等を載置した例を示している。また、本実施形態では、前記天板３の後方で、該天板３の上位から下位にかけてスクリーン２４，２４を、前記支柱１の係合溝８，８内にそれぞれ基部を摩擦係合した水平な吊支棒２５，２５に垂れ下げて配している。ここで、前記吊支棒２５は、前記係合溝８に沿ってスライドさせて任意の高さに保持することができるようになっている。前記吊支棒２５を、前記天板３の後縁の曲率半径に近似させて湾曲した平面視形状とすることにより、該天板３の後縁に沿ってスクリーン２４，２４を設けることができる。前記天板３の背後にスクリーン２４，２４を設けることによって、落ち着いた雰囲気を作り出すことができる。
【００２１】
次に、図６に基づいて本発明の第２実施形態を簡単に説明する。本実施形態では、前記支持体としてパネル体２６を用い、該パネル体２６の両側の縦枠２７，２７に前記同様に係止孔７，…を形成し、それぞれの縦枠２７，２７にブラケット構造体２，２を嵌合係止し、該ブラケット構造体２，２の支持アーム１２，…に平面視長方形の天板３及び載置板４，４の両側後端部を支持するとともに、両側前端部を前記同様な脚柱５，５で支持している。ここで、前記パネル体２６のパネル板２８と天板３及び載置板４の後縁との間に配線用の間隙を設けるように取付けることが好ましく、またパネル板２８を上下に分割し、上下分割パネル板２８，２８間に配線用の間隙を設けることも好ましい。その他の構成は、前記同様であるので、同一構成には同一符号を付してその説明は省略する。
【図面の簡単な説明】
【００２２】
【図１】本発明の高さ変更可能な情報検索台の第１実施形態を示す斜視図である。
【図２】同じく分解斜視図である。
【図３】同じく正面図である。
【図４】同じく側面図である。
【図５】同じく平面図である。
【図６】本発明の高さ変更可能な情報検索台の第２実施形態を示す斜視図である。
【符号の説明】
【００２３】
１  支柱
２  ブラケット構造体
３  天板
４  載置板
５  脚柱
６  接地台
７  係止孔
８  係合溝
９  基体
１０  脚片
１１  フック
１２  支持アーム
１３  前縁
１４  固定板
１５  アジャスター
１６  支持片
１７  ネジ
１８  ネジ
１９  ネジ
２０  モニター用ディスプレイ
２１  キーボード
２２  マウス
２３  本体部
２４  スクリーン
２５  吊支棒
２６  パネル体
２７  縦枠
２８  パネル板
【図１】
2006122403.tif 000003
【図２】
2006122403.tif 000004
【図３】
2006122403.tif 000005
【図４】
2006122403.tif 000006
【図５】
2006122403.tif 000007
【図６】
2006122403.tif 000008